【手続補正書】
【提出日】平成30年10月2日(2018.10.2)
【手続補正１】
【補正対象書類名】特許請求の範囲
【補正対象項目名】全文
【補正方法】変更
【補正の内容】
【特許請求の範囲】
【請求項１】
撮像装置であって、
撮像手段と、
前記撮像装置の姿勢を検知する姿勢検知手段と、
接眼ファインダーの接眼部を介して視認可能な表示手段における第１の辺に沿う第１の領域と、前記第１の領域と異なる領域であって、前記表示手段における前記第１の辺と対向する第２の辺に沿った第２の領域とのうち、前記姿勢検知手段で検知した姿勢にかかわらず前記撮像手段で撮像された画像を前記第１の領域に表示し、撮影に関する情報群を、前記姿勢検知手段で検知した姿勢に応じて異なる配置で前記表示手段に表示するように制御する表示制御手段と
を有することを特徴とする撮像装置。
【請求項２】
前記第１の辺は上辺であり、前記第２の辺は下辺であること特徴とする請求項１に記載の撮像装置。
【請求項３】
前記接眼ファインダーとは異なる外部から視認可能な第２の表示部を有し、前記第２の表示部においては、前記撮像手段で撮像された画像の中央が前記第２の表示部の中央に位置するように表示し、表示された該画像の両側に均等幅の余白領域を表示するように制御することを特徴とする請求項１に記載の撮像装置。
【請求項４】
前記接眼ファインダーに対する接眼を検知する接眼検知手段を有し、
前記表示制御手段は、前記画像と前記情報とを前記接眼検知手段で接眼を検知した場合に前記接眼ファインダーの内部の前記表示手段に表示し、前記接眼検知手段で接眼を検知されない場合に前記画像と前記情報群とを前記第２の表示部に表示するように制御することを特徴とする請求項３に記載の撮像装置。
【請求項５】
第１の姿勢と、前記第１の姿勢と９０度異なる第２の姿勢と、前記第２の姿勢と１８０度異なる第３の姿勢のうち、第１の姿勢である場合に、前記表示制御手段は、前記第２の領域に前記情報群の少なくとも一部を、前記第１の領域に重なることなく表示するように制御する請求項１乃至４の何れか１項に記載の撮像装置。
【請求項６】
前記姿勢検知手段で検知した姿勢に基づいて、前記情報群のうち少なくとも一部の情報群を、前記表示手段のうち重力方向側の辺に対する相対的な位置関係を維持するように表示することを特徴とする請求項１乃至５の何れか１項に記載の撮像装置。
【請求項７】
前記第１の領域は、前記第１の辺の全体に沿う領域であり、前記第２の領域は、前記第２の辺の全体に沿う領域であることを特徴とする請求項１乃至６の何れか１項に記載の撮像装置。
【請求項８】
前記表示制御手段は、前記撮像手段で撮像された画像を、前記第１の辺に隣接して表示するように制御することを特徴とする請求項１乃至７の何れか１項に記載の撮像装置。
【請求項９】
前記表示制御手段は、前記撮像手段で撮像された画像が第１のアスペクト比である場合にも,第２のアスペクト比である場合にも、前記撮像手段で撮像された画像を前記第１の辺に隣接して表示するように制御することを特徴とする請求項８に記載の撮像装置。
【請求項１０】
前記表示制御手段は、前記撮像手段で撮像された画像が第１のアスペクト比である場合には前記撮像手段で撮像された画像を前記第１の辺に隣接して表示するように制御し、前記撮像手段で撮像された画像が第２のアスペクト比である場合には前記撮像手段で撮像された画像の中央が前記第１の領域の中央に位置するように表示し、前記第１の領域のうち表示された該画像の両側に余白領域を表示するように制御することを特徴とする請求項８に記載の撮像装置。
【請求項１１】
前記情報群には、シャッター速度、絞り、露出、感度のうち少なくとも１つの情報が含まれることを特徴とする請求項１乃至１０の何れか１項に記載の撮像装置。
【請求項１２】
前記画像はライブビュー画像であることを特徴とする請求項１乃至１１のいずれか１項に記載の撮像装置。
【請求項１３】
撮像手段を有する撮像装置の制御方法であって、
前記撮像装置の姿勢を検知する姿勢検知ステップと、
接眼ファインダーの接眼部を介して視認可能な表示手段における第１の辺に沿う第１の領域と、前記第１の領域と異なる領域であって、前記表示手段における前記第１の辺と対向する第２の辺に沿った第２の領域とのうち、前記姿勢検知ステップで検知した姿勢にかかわらず前記撮像手段で撮像された画像を前記第１の領域に表示し、撮影に関する情報群を、前記姿勢検知ステップで検知した姿勢に応じて異なる配置で前記表示手段に表示するように制御する表示制御ステップと
を有することを特徴とする撮像装置の制御方法。
【請求項１４】
コンピュータを、請求項１乃至１２のいずれか１項に記載された撮像装置の表示制御手段として機能させるためのプログラム。
【請求項１５】
コンピュータを、請求項１乃至１２のいずれか１項に記載された撮像装置の表示制御手段として機能させるためのプログラムを格納したコンピュータが読み取り可能な記憶媒体。
【手続補正２】
【補正対象書類名】明細書
【補正対象項目名】０００８
【補正方法】変更
【補正の内容】
【０００８】
上記課題を解決するための本発明は、
撮像装置であって、
撮像手段と、
前記撮像装置の姿勢を検知する姿勢検知手段と、
表示手段における第１の辺に沿う第１の領域と、前記第１の領域と異なる領域であって、前記表示手段における前記第１の辺と対向する第２の辺に沿った第２の領域とのうち、前記姿勢検知手段で検知した姿勢にかかわらず前記撮像手段で撮像された画像を前記第１の領域に表示し、撮影に関する情報群を、前記姿勢検知手段で検知した姿勢に応じて異なる配置で表示するように制御する表示制御手段と
を有することを特徴とする。
【手続補正３】
【補正対象書類名】明細書
【補正対象項目名】００１３
【補正方法】変更
【補正の内容】
【００１３】
操作部７０はユーザからの各種操作を受け付ける各種スイッチ、ボタン、タッチパネル等の操作部材を含む操作部である。ホイール７３は操作部７０に含まれる回転操作可能な操作部材である。電源スイッチ７２は、電源オン、電源オフを切り替えるための押しボタンである。電子ダイヤル７４は、操作感のある回転操作部材であり、割り当てられた各種の機能の設定変更が可能である。記録媒体２００は例えばメモリカードやハードディスク等の記録媒体であり、デジタルカメラ１００に対して着脱可能に構成されている。記録媒体スロット２０１は記録媒体２００を格納するためのスロットである。記録媒体スロット２０１に格納された記録媒体２００は、デジタルカメラ１００との通信が可能となる。蓋２０２は記録媒体スロット２０１の蓋である。
【手続補正４】
【補正対象書類名】明細書
【補正対象項目名】００５１
【補正方法】変更
【補正の内容】
【００５１】
Ｓ４１８では、その他の操作があったか否かを判定する。その他の操作とは、例えば、操作部７０の操作部に対する操作や、タッチパネルへのボタンアイコン以外に対する操作（例えば他のボタンアイコンに対する操作等）等を含む。その他の操作では、例えば記録する画像のアスペクト比を切り替えることができる。記録する画像のアスペクト比が切り替えられると、設定されたアスペクト比に合わせてライブビュー画像の帯状領域の表示も変更される。記録する画像のアスペクト比として設定可能なアスペクト比には、例えば１：１、４：３、３：２、１６：９があるものとするが、これに限るものではない。その他の操作があったと判定されると（Ｓ４１８で「ＹＥＳ」）、Ｓ４１９に進んでその他の操作に応じた処理を実行し、Ｓ４２０に進む。その他の操作が無かったと判定されると（Ｓ４１８で「ＮＯ」）Ｓ４２０へ進む。Ｓ４２０では、モードの変更操作があったか否かを判定する。モードの変更操作には、例えば動画記録モードへの切替や再生モードへの遷移などを含む。モード変更操作がなかったと判断されると（Ｓ４２０で「ＮＯ」）Ｓ４１４へ戻って処理を繰り返す。一方、モード変更操作があった場合（Ｓ４２０で「ＹＥＳ」）、本静止画撮影モードの処理を終了する。
【手続補正５】
【補正対象書類名】明細書
【補正対象項目名】００５５
【補正方法】変更
【補正の内容】
【００５５】
図６（ｂ）〜図６（ｄ）に示す通り、アスペクト比が１６：９の場合、ファインダー表示部２９の表示装置の表示領域の片方、Ｙ軸方向下辺に沿って所定幅の帯状領域３２２を表示する。これは、図３（ｂ）〜（ｄ）で説明した例と同じであり、帯状領域３２２の幅も図３（ｂ）〜（ｄ）と同じである。そして、帯状領域３２２以外の領域の中央に画像表示領域３２１を設け、残った余白領域６０１ａ、６０１ｂ（画像表示領域３２１のＹ軸方向上下両側に設けられる）を黒塗り表示する。図６（ｂ）〜図６（ｄ）の例では、帯状領域３２２と余白領域６０１ａ、６０１ｂの区別をするために別の色で示しているが、帯状領域３２２と余白領域６０１ａ、６０１ｂとをいずれも黒塗りで表示する等、ユーザから見て区別がつかないようにしても良い。このようにすると、姿勢にかかわらずファインダー表示部２９の表示装置の表示領域のＹ軸方向下辺に沿った帯状領域３２２に撮像情報表示を視認性良く表示することができる。また、図５（ｂ）〜（ｄ）のアスペクト比１６：９の表示例では、図３（ｂ）〜（ｄ）のアスペクト比３：２の表示例とはライブビュー画像の表示領域３２２の中心が異なっている。従って、アスペクト比の設定を変えるとライブビュー画像の描画位置が変わってしまいユーザに違和感を感じさせる可能性がある。これに対し、図６（ｂ）〜（ｄ）のように表示すれば、図３（ｂ）〜（ｄ）のアスペクト比３：２の表示例とはライブビュー画像の表示領域３２２の中心が同じである。従って、アスペクト比の設定切替えに伴うライブビュー画像の表示位置のズレをユーザに感じさせることはない。
【手続補正６】
【補正対象書類名】図面
【補正対象項目名】図２
【補正方法】変更
【補正の内容】
【図２】
2017073758.tif 000001
【手続補正７】
【補正対象書類名】図面
【補正対象項目名】図５
【補正方法】変更
【補正の内容】
【図５】
2017073758.tif 000002